(57)【特許請求の範囲】
【請求項１】
少なくとも２枚以上の不織布が積層される不織布積層体と、
前記不織布積層体の表面又は裏面のうち少なくとも一方に固定されると共に、前記不織布積層体を保持する平面状の保持体と、
を有し、
前記不織布積層体及び保持体には、前記不織布積層体の表面又は裏面のうち他方から前記保持体の表面側に貫通する，ユーザの顔面の外形の少なくとも一部に応じた有端線状の穴が形成されている、
フェイスマスクユニット。
【請求項２】
前記有端線状の穴に沿う外形を有するフェイスマスク部と、
前記有端線状の穴を介して前記フェイスマスク部の周辺に設けられる周辺部と、
前記有端線状の穴の延伸方向の端部を構成すると共に、前記フェイスマスク部と前記周辺部とを部分的に接続する接続部と、
を有する、
請求項１に記載のフェイスマスクユニット。
【請求項３】
前記周辺部において記不織布積層体と前記保持体とを固定する固定部材をさらに有する、
請求項２に記載のフェイスマスクユニット。
【請求項４】
前記フェイスマスク部には、少なくともユーザの鼻と口に応じた形状の穴が形成されている、
請求項２又は３に記載のフェイスマスクユニット。
【請求項５】
前記フェイスマスク部は、少なくともユーザの鼻と口を覆う覆い部と、前記覆い部から左右方向にそれぞれ延びると共に、ユーザの耳に掛けられる環状の耳紐部とを有する、
請求項２又は３に記載のフェイスマスクユニット。
【請求項６】
前記保持体は、前記不織布積層体の前記表面に固定される第１の保持体と、前記不織布積層体の前記裏面に固定される第２の保持体と、を含む、
請求項１〜５のいずれか１項に記載のフェイスマスクユニット。
【請求項７】
前記保持体は、前記不織布積層体の前記表面に固定されており、
前記不織布積層体及び前記保持体は、前記不織布積層体の前記裏面の一部が、該裏面の他部に重なるように、折り畳まれている、
請求項１〜５のいずれか１項に記載のフェイスマスクユニット。
【請求項８】
前記有端線状の穴は左右対称の形状であり、
前記不織布積層体及び前記保持体は、前記左右対称の有端線状の穴のうち左部と右部とが平面視において重なるように、折り畳まれている、
請求項７に記載のフェイスマスクユニット。
【請求項９】
前記保持体は、前記不織布積層体よりも外形が大きい、
請求項１〜８のいずれか１項に記載のフェイスマスクユニット。
【請求項１０】
少なくとも２枚以上の不織布が積層される不織布積層体を用意し、
平面状の保持体を、前記不織布積層体の表面又は裏面の少なくとも一方に固定し、
前記不織布積層体及び前記保持体に、前記不織布積層体の表面又は裏面のうち他方から前記保持体の表面側に貫通する、ユーザの顔面の外形の少なくとも一部に応じた有端線状の穴を形成する、
フェイスマスクユニットの製造方法。
【請求項１１】
レーザ加工機から出射されるレーザ光により前記有端線状の穴を形成する、
請求項１０に記載のフェイスマスクユニットの製造方法。
【発明の詳細な説明】
【技術分野】
【０００１】
本発明は、フェイスマスクユニット、及びフェイスマスクユニットの製造方法に関する。
【背景技術】
【０００２】
特許文献１には、不織布からなり、ユーザの顔に装着されるフェイスマスクが開示されている。
【先行技術文献】
【特許文献】
【０００３】
【特許文献１】特開２０１９−２０１７９９号
【発明の概要】
【発明が解決しようとする課題】
【０００４】
ここで、フェイスマスクを構成する不織布は柔らかい素材であることから、その形状が崩れやすい。形状が崩れると、不織布が破れてしまう等のおそれがある。そのため、保管の際にその形状を維持する工夫が必要である。【０００５】
上記課題を鑑みて、本発明は、形状を維持しつつ保管可能なフェイスマスクユニット、及びその製造方法を提供することを目的とする。
【課題を解決するための手段】
【０００６】
上記課題を解決すべく本出願において開示される発明は種々の側面を有しており、それら側面の代表的なものの概要は以下のとおりである。【０００７】
（１）少なくとも２枚以上の不織布が積層される不織布積層体と、前記不織布積層体の表面又は裏面のうち少なくとも一方に固定されると共に、前記不織布積層体を保持する平面状の保持体と、を有し、前記不織布積層体及び保持体には、前記不織布積層体の表面又は裏面のうち他方から前記保持体の表面側に貫通する，ユーザの顔面の外形の少なくとも一部に応じた有端線状の穴が形成されている、フェイスマスクユニット。【０００８】
（２）（１）において、前記有端線状の穴に沿う外形を有するフェイスマスク部と、前記有端線状の穴を介して前記フェイスマスク部の周辺に設けられる周辺部と、前記有端線状の穴の延伸方向の端部を構成すると共に、前記フェイスマスク部と前記周辺部とを部分的に接続する接続部と、を有する、フェイスマスクユニット。【０００９】
（３）（２）において、前記周辺部において記不織布積層体と前記保持体とを固定する固定具をさらに有する、フェイスマスクユニット。【００１０】
（４）（２）又は（３）において、前記フェイスマスク部には、少なくともユーザの鼻と口に応じた形状の穴が形成されている、フェイスマスクユニット。【００１１】
（５）（２）又は（３）において、前記フェイスマスク部は、少なくともユーザの鼻と口を覆う覆い部と、前記覆い部から左右方向にそれぞれ延びると共に、ユーザの耳に掛けられる環状の耳紐部とを有する、フェイスマスクユニット。【００１２】
（６）（１）〜（５）のいずれかにおいて、前記保持体は、前記不織布積層体の前記表面に固定される第１の保持体と、前記不織布積層体の前記裏面に固定される第２の保持体と、を含む、フェイスマスクユニット。【００１３】
（７）（１）〜（５）のいずれかにおいて、前記保持体は、前記不織布積層体の前記表面に固定されており、前記不織布積層体及び前記保持体は、前記不織布積層体の前記裏面の一部が、該裏面の他部に重なるように、折り畳まれている、フェイスマスクユニット。【００１４】
（８）（７）において、前記有端線状の穴は左右対称の形状であり、前記不織布積層体及び前記保持体は、前記有端線状の穴の左部と右部とが平面視において重なるように、折り畳まれている、フェイスマスクユニット。【００１５】
（９）（１）〜（８）のいずれかにおいて、前記保持体は、前記不織布積層体よりも外形が大きい、フェイスマスクユニット。【００１６】
（１０）少なくとも２枚以上の不織布が積層される不織布積層体を用意し、平面状の保持体を、前記不織布積層体の表面又は裏面の少なくとも一方に固定し、前記不織布積層体及び前記保持体に、前記不織布積層体の表面又は裏面のうち他方から前記保持体の表面側に貫通する、ユーザの顔面の外形の少なくとも一部に応じた有端線状の穴を形成する、フェイスマスクユニットの製造方法。【００１７】
（１１）（１０）において、レーザ加工機から出射されるレーザ光により前記有端線状の穴を形成する、フェイスマスクユニットの製造方法。
【発明の効果】
【００１８】
上記（１）〜（１１）の側面によれば、形状を維持しつつ保管可能なフェイスマスクユニット、及びその製造方法を提供することができる。
【図面の簡単な説明】
【００１９】
【図１】第１の実施形態に係るフェイスマスクユニットを示す斜視図である。
【図２】図３のＩＩ−ＩＩ切断線における切断端面を示す端面図である。
【図３】第１の実施形態に係るフェイスマスクユニットを示す平面図である。
【図４】第１の実施形態のフェイスマスクを示す平面図である。
【図５】第１の実施形態の変形例に係るフェイスマスクユニットを示す平面図である。
【図６】図５のＶＩ−ＶＩ切断線における切断端面を示す端面図である。
【図７】第２の実施形態に係るフェイスマスクユニットを示す平面図である。
【図８】第２の実施形態のフェイスマスクを示す平面図である。
【図９】第２の実施形態の第１変形例のフェイスマスクを示す平面図である。
【図１０】第２の実施形態の第２変形例のフェイスマスクを示す平面図である。
【発明を実施するための形態】
【００２０】
以下に、本発明の各実施形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００２１】
［フェイスマスクユニット１００の全体構成］
図１〜図４を参照して、第１の実施形態に係るフェイスマスクユニット１００の全体構成について説明する。図１は、第１の実施形態に係るフェイスマスクユニットを示す斜視図である。図２は、図３のＩＩ−ＩＩ切断線における切断端面を示す端面図である。図３は、第１の実施形態に係るフェイスマスクユニットを示す平面図である。図４は、第１の実施形態のフェイスマスクを示す平面図である。図３においては、フェイスマスクユニット１００を、第１の保持体２１側から見た様子を示している。
【００２２】
第１の実施形態に係るフェイスマスクユニット１００は、肌の手入れを行うための美容向けフェイスマスク（フェイスパックとも呼ばれる）を提供するためのものである。第１の実施形態において提供されるフェイスマスクは、目、鼻、及び口を除くユーザの顔面のほぼ全体を覆うように構成されている。第１の実施形態において提供されるフェイスマスクは、後述の不織布積層体１０に含まれる不織布のうちフェイスマスク部１１に対応するものである。
【００２３】
フェイスマスクユニット１００は、不織布積層体１０と、第１の保持体２１と、第２の保持体２２とを有する。
【００２４】
不織布積層体１０は、少なくとも２枚以上の不織布が積層されて成る。不織布とは、繊維を織らずに絡み合わせてなるシート状の布である。不織布は、例えば、天然パルプ、コットン、シルク、レーヨンなどの天然繊維又は化学繊維からなるとよい。また、不織布は、それら天然繊維又は化学繊維に、ポリエステルやポリプロピレンなどの合成繊維を混合した混合素材からなってもよい。なお、不織布積層体１０に含まれる不織布の枚数に制限はないが、５〜１０枚程度であるとよい。
【００２５】
第１の保持体２１は、平面状であって、不織布積層体１０の表面１０ｆに固定されると共に、不織布積層体１０を保持している。第２の保持体２２は、平面状であって、不織布積層体１０に裏面（表面の反対の面）１０ｂに固定されると共に、不織布積層体１０を保持している。第１の保持体２１及び第２の保持体２２は、例えば、段ボール等の厚紙や樹脂板等、不織布よりも剛性が高い板状体であるとよい。
【００２６】
図２に示すように、不織布積層体１０は、第１の保持体２１と第２の保持体２２とによって挟まれることにより保持されている。また、第１の実施形態において、第１の保持体２１及び第２の保持体２２の外形は、不織布積層体１０の外形よりも大きい。すなわち、第１の実施形態においては、第１の保持体２１及び第２の保持体２２が、フェイスマスクユニット１００の外装を構成している。
【００２７】
以下の説明において、第１の保持体２１のうち、不織布積層体１０の表面１０ｆに接触する側の面を第１の保持体２１の裏面２１ｂと呼び、その反対側の面を第１の保持体２１の表面２１ｆと呼ぶ。また、第２の保持体２２のうち、不織布積層体１０の裏面１０ｂに接触する側の面を第２の保持体２２の裏面２２ｂと呼び、その反対側の面を第２の保持体２２の表面２２ｆと呼ぶ。
【００２８】
図１、図３に示すように、不織布積層体１０、第１の保持体２１、及び第２の保持体２２には、ユーザの顔面の外形に応じた線状の穴Ｈが形成されている。
【００２９】
穴Ｈは、第１の保持体２１の表面２１ｆから第２の保持体２２の表面２２ｆに貫通している。すなわち、穴Ｈは、第１の保持体２１、不織布積層体１０、及び第２の保持体２２を貫通して形成されている。
【００３０】
穴Ｈは、ユーザの顔面の外形に応じた形状の外形穴Ｈ１、ユーザの目の位置に応じた目穴Ｈ２、ユーザの鼻の位置に応じた鼻穴Ｈ３、ユーザの口の位置に応じた口穴Ｈ４を含む。なお、本明細書において、これら穴を特に区別して説明する必要のない場合は、単に「穴Ｈ」と呼ぶこととする。
【００３１】
外形穴Ｈ１は、有端線状の貫通孔である。ここで、有端線状とは、延伸方向において端部を有すると共に、平面視において線状であることを意味する。
【００３２】
また、第１の実施形態においては、目穴Ｈ２、鼻穴Ｈ３、及び口穴Ｈ４も、外形穴Ｈ１と同様に、有端線状の貫通孔とした。ただし、目穴Ｈ２、鼻穴Ｈ３、口穴Ｈ４は、有端線状であるものに限らず、目、鼻、口のそれぞれの外形に応じた縁を有する開口であってもよい。
【００３３】
不織布積層体１０は、外形穴Ｈ１に沿う外形を有するフェイスマスク部１１と、外形穴Ｈ１を介してフェイスマスク部１１の周辺に設けられる周辺部１２とを有する。
【００３４】
また、不織布積層体１０は、有端線状の外形穴Ｈ１の延伸方向の端部を構成すると共に、フェイスマスク部１１と周辺部１２とを部分的に接続する接続部１３を有する。
【００３５】
なお、不織布積層体１０は、フェイスマスクユニット１００の外装を構成する第１の保持体２１の内側に配置されるため、第１の保持体２１側からフェイスマスクユニット１００を見た様子を示す図３においては現れていない。図３においては、フェイスマスク部１１、周辺部１２、接続部１３の平面視における位置を符号及び引き出し線により示すこととする。第２の保持体２２についても同様とする。なお、後述するが、フェイスマスク部１１、フェイスマスク部２１１、及びフェイスマスク部２２１は、互いに平面形状が同じであって、重ねて設けられている。周辺部１２、周辺部２１２、及び周辺部２２２も、互いに平面形状が同じであって、重ねて設けられている。接続部１３、接続部２１３、及び接続部２２３も、互いに平面形状が同じであって、重ねて設けられている。
【００３６】
第１の保持体２１は、外形穴Ｈ１に沿う外形を有するフェイスマスク部２１１と、外形穴Ｈ１を介してフェイスマスク部２１１の周辺に設けられる周辺部２１２とを有する。また、第１の保持体２１は、フェイスマスク部２１１と周辺部２１２とを部分的に接続する接続部２１３を有する。
【００３７】
第２の保持体２２は、外形穴Ｈ１に沿う外形を有するフェイスマスク部２２１と、外形穴Ｈ１を介してフェイスマスク部２２１の周辺に設けられる周辺部２２２とを有する。また、第２の保持体２２は、フェイスマスク部２２１と周辺部２２２とを部分的に接続する接続部２２３を有する。
【００３８】
図３等においては、外形穴Ｈ１は、３箇所に設けられる接続部１３、２１３、２２３により、それぞれ延伸方向に端部を有する４つの領域に区画されている例を示す。ただし、接続部１３、２１３、２２３の数や配置は一例であって、これに限られるものではない。
【００３９】
第１の保持体２１、不織布積層体１０、及び第２の保持体２２は、例えば、ステープラにより互いに綴じられているとよい。この場合、ステープラは、周辺部１２、２１２、２２２に設けられているとよい。それにより、フェイスマスクとして提供されるフェイスマスク部１１がステープラによって損傷してしまうことが抑制される。または、第１の保持体２１、不織布積層体１０、及び第２の保持体２２は、周辺部１２、２１２、２２２に塗布された接着剤等により、不織布積層体１０に対して接着固定されていてもよい。
【００４０】
［フェイスマスクユニット１００の使用方法］
フェイスマスクユニット１００のうち不織布積層体１０に含まれる不織布のうちフェイスマスク部１１がユーザによって使用されるフェイスマスクとなる。
【００４１】
まず、ユーザは、フェイスマスクユニット１００の接続部１３、２１３、２２３を切断する。当該切断において、道具等は特に不要であるとよい。すなわち、接続部１３、２１３、２２３は、素手で千切れる程度の太さ、強度であるとよい。接続部１３、２１３、２２３を切断することにより、フェイスマスク部１１、２１１、２２１と、周辺部１２、２１２、２２２とが分離される。すなわち、フェイスマスクユニット１００からフェイスマスク部１１、２１１、２２１が取り出される。なお、この際、フェイスマスク部１１、２１１、２２１のうち、接続部１３、２１３、２２３が切断された箇所においては、図４に示すように、欠片や窪み等である切断残部Ｒが形成されていてもよい。
【００４２】
さらに、ユーザは、取り出されたフェイスマスク部１１、２１１、２２１のうち、外装を構成するフェイスマスク部２１１を取り外すとよい。
【００４３】
これにより、フェイスマスク部２２１上に、複数の不織布が積層されて成るフェイスマスク部１１が載置された状態となる。ユーザは、複数の不織布のうち、最上層にある１枚のフェイスマスク部１１を取り出すとよい。そして、取り出した１枚のフェイスマスク部１１に液体化粧料等を染み込ませ、当該フェイスマスク部１１を湿潤状態にて自身の顔面に密着させるとよい。
【００４４】
なお、周辺部１２、２１２、２２２は、上記のようにフェイスマスク部１１、２１１、２１２が取り出された後、廃棄されるとよい。また、フェイスマスク部２１１も、上記のように取り外された後、廃棄されるとよい。フェイスマスクユニット１００の製造者及び販売者において、周辺部１２、２１２、２２２等の廃棄物を廃棄する必要がないため、廃棄処理の工程を削減することができ、フェイスマスクユニット１００の管理が容易となる。
【００４５】
ただし、これに限らず、周辺部１２、２１２、２２２は、取り外された後、元の位置に戻されて、フェイスマスク部１１を保管する際の収容枠として使用されてもよい。周辺部１２、２１２、２２２を収容枠として使用することにより、保管の際にフェイスマスク部１１の縁が折れ曲がる等、形状が変形することを抑制することができる。また、フェイスマスク部２１１は、取り外された後、元の位置に戻されて、不織布積層体１０の表面を粉塵から保護する保護層として用いられてもよい。
【００４６】
なお、第１の実施形態においては、不織布積層体１０が、２枚の保持体に挟まれている例について示したが、これに限られず、不織布積層体１０の表面１０ｆ又は裏面１０ｂの一方のみに保持体が設けられていてもよい。
【００４７】
また、図１等に示した穴Ｈの形状は一例であり、これに限られるものではない。フェイスマスクを顔面に密着した状態において、少なくともユーザが呼吸可能となるように穴Ｈが形成されているとよい。例えば、目穴Ｈ２が形成されていなくてもよい。
【００４８】
また、図１等に示すように、外形穴Ｈ１から内側に延びるスリットＳが形成されているとよい。これにより、フェイスマスクをユーザの顔面に装着した際に、フェイスマスクに浮き上がりが生じることが抑制され、ユーザの顔面に対するフェイスマスクの密着性を向上することができる。なお、スリットＳの数、長さ、配置等は任意である。
【００４９】
また、図示の例においては、穴Ｈの形状を左右対称としたが、これに限られるものではない。すなわち、ユーザの顔面の外形に応じて、左右非対称の穴Ｈが形成されていてもよい。
【００５０】
また、第１の実施形態においては、平面形状が矩形の第１の保持体２１及び第２の保持体２２を示したが、これに限られるものではない。周辺部２１２、２２２の少なくとも一辺が直線状であるとよい。それにより、直線状の辺を床面に向けて置くことにより、フェイスマスクユニット１００を、姿勢を安定させた状態で保管することが可能となる。
【００５１】
以上説明した第１の実施形態においては、不織布積層体１０が第１の保持体２１及び第２の保持体２２により保持される構成であるため、フェイスマスクの形状が維持される。そのため、ユーザ、製造者、及び販売者等は、保管場所や保管方法に気を配ることなく、フェイスマスクの形状を維持することができる。その結果、保管中にフェイスマスクが折れ曲がったり、破れたりすることが抑制される。
【００５２】
［フェイスマスクユニット１００の製造方法］
まず、少なくとも２枚以上の不織布が積層される不織布積層体１０を用意する。そして、不織布積層体１０の表面１０ｆに第１の保持体２１を載置し、裏面１０ｂに第２の保持体２２を載置する。すなわち、不織布積層体１０を、第１の保持体２１と第２の保持体２２により挟持する。その状態で、第１の保持体２１及び第２の保持体２２を不織布積層体１０に固定させる。具体的には、フェイスマスクユニット１００の縁近傍をステープラ等を用いて固定するとよい。
【００５３】
次に、穴Ｈを形成する。穴Ｈは、例えば、レーザ加工機（レーザカッター）から照射されるレーザ光により形成されるとよい。ただし、それに限られず、超音波加工機（超音波カッター）やカッターナイフ、はさみ等を用いて形成されてもよい。
【００５４】
また、穴Ｈは、例えば、ユーザの顔面の画像情報に基づいて形成されるとよい。それにより、ユーザ個々の顔面の大きさや各パーツの位置に応じた、フェイスマスクを提供することが可能となる。
【００５５】
ただし、これに限られず、例えば、ユーザの顔面の大きさ等の実寸をメジャー等で測り、その測定結果に応じて、穴Ｈを形成してもよい。さらには、ユーザの顔面の大きさ等を計測することなく、例えば、ユーザが成人男性であれば、サイズ「大」の外形穴Ｈ１を形成し、成人女性であれば、サイズ「小」の外形穴Ｈ１を形成する等、予め決められたパターンに基づくものであってもよい。
【００５６】
また、第１の実施形態においては、穴Ｈが、第１の保持体２１、不織布積層体１０、及び第２の保持体２２を貫通して形成される例について説明したが、これに限られない。例えば、穴Ｈは第１の保持体２１及び不織布積層体１０を貫通して形成されており、第２の保持体２２に形成されていなくてもよい。この場合、ユーザは、接続部１３及び接続部２１３を切断することにより、フェイスマスク部１１、２１１を取り出すことができる。なお、第１の保持体２１及び不織布積層体１０を貫通しており、第２の保持体２２を貫通しない穴Ｈの形成は、レーザ加工機から出射されるレーザ光の出力を調整することにより行うとよい。
【００５７】
第１の実施形態においては、不織布積層体１０を、不織布よりも剛性の高い第１の保持体２１及び第２の保持体２２に固定し、第１の保持体２１及び第２の保持体２２とまとめて加工している。そのため、加工の際に形状が変形しにくく、不織布積層体１０のみを加工する場合と比較して、加工が容易である。
【００５８】
［その他］
フェイスマスクユニット１００は、店舗内や道中に配置される自動販売機で購入可能であってもよい。この場合、ユーザによる自動販売機のボタン等を操作に基づいて、自動販売機内に収容されるフェイスマスクユニット１００が自動販売機の取り出し口に送られるとよい。フェイスマスクユニット１００においては、不織布積層体１０が第１の保持体２１と第２の保持体２２によって保持されているため、不織布積層体１０がその形状を維持した状態で、自動販売機の取り出し口に送られることとなる。また、ユーザは、自動販売機の取り出し口からフェイスマスクユニット１００を取り出し、不織布積層体１０の形状を維持した状態で、持ち運ぶことができる。
【００５９】
また、例えば、自動販売機には、ユーザの顔面を撮像するカメラ等の撮像装置、及び、レーザ加工機等が備えられていてもよい。そして、撮像装置により撮像されたユーザの顔面の画像データに基づいて、レーザ加工装置から照射されるレーザ光により穴Ｈが形成されるとよい。これにより、ユーザは、煩雑な測定工程を受けることなく、自己の顔面に応じたフェイスマスク部１１を備えるフェイスマスクユニット１００を入手することが可能となる。
【００６０】
［第１の実施形態の変形例］
次に、図５及び図６を参照して、第１の実施形態の変形例について説明する。図５は、第１の実施形態の変形例に係るフェイスマスクユニットを示す平面図である。図６は、図５のＶＩ−ＶＩ切断線における切断端面を示す端面図である。なお、上記第１の実施形態で示した構成と同様の構成については同じ符号を用いて、その説明は省略する。
【００６１】
上記第１の実施形態においては、２枚の保持体で不織布積層体１０を保持する例について示したが、本変形例においては、１枚の保持体２１で不織布積層体１０を保持すると共に、フェイスマスクユニット２００を折り畳んだ例について説明する。
【００６２】
第１の実施形態の変形例に係るフェイスマスクユニット２００は、少なくとも２枚以上の不織布が積層される不織布積層体１０と、不織布積層体１０の表面１０ｆに固定されると共に不織布積層体１０を保持する保持体２１と、を有する。
【００６３】
フェイスマスクユニット２００は、図６に示すように、不織布積層体１０の裏面１０ｂの一部と他部とが重なるように、折り畳まれている。そして、不織布積層体１０と保持体２１は、折り畳まれた状態を維持するように、周辺部１２、２１２に設けられるステープラ又は接着剤等により固定されている。
【００６４】
ここで、ユーザの顔面の右半分に対応する部位を右部、左半分に対応する部位を左部と呼ぶこととする。図５においては、フェイスマスクユニット２００の右部を示している。
【００６５】
また、フェイスマスクユニット２００には、穴Ｈが形成されている。具体的には、ユーザの顔面の外形の右部に応じた有端線状の外形穴Ｈ１と、ユーザの右目の形状に応じた１つの有端線状の目穴Ｈ２と、ユーザの鼻の外形の右部に応じた有端線状の鼻穴Ｈ３と、ユーザの口の外形の右部に応じた口穴Ｈ４とが形成されている。
【００６６】
穴Ｈは、図６に示すように、保持体２１及び不織布積層体１０を貫通するように形成されている。すなわち、穴Ｈは、フェイスマスクユニット２００の右部において、保持体２１の表面２１ｆから裏面２１ｂに貫通すると共に、不織布積層体１０の表面１０ｆから裏面１０ｂに貫通している。さらに、穴Ｈは、フェイスマスクユニット２００の左部において、不織布積層体１０の裏面１０ｂから表面１０ｆに貫通すると共に、保持体２１の裏面２１ｂから表面２１ｆに貫通している。すなわち、穴Ｈは左右対称の形状であり、不織布積層体１０及び保持体２１は、左右対称の穴Ｈのうち左部と右部とが平面視において重なるように、折り畳まれている。
【００６７】
第１の実施形態の変形例においては、図１〜図４で示した構成と比較して、フェイスマスクユニット２００の平面積が小さいため、持ち運びや保管がより容易となる。また、保持体が１枚であるため、材料コストや、重量を低減することができる。また、ユーザの顔面の半分に対応する穴Ｈを形成することにより、顔面全体の形状に対応するフェイスマスク部１１を取り出すことが可能であるため、穴Ｈの形成工程を簡略化することができる。
【００６８】
［第２の実施形態］
次に、図７、図８を参照して、第２の実施形態について説明する。図７は、第２の実施形態に係るフェイスマスクユニットを示す平面図である。図８は、第２の実施形態のフェイスマスを示す平面図である。なお、第１の実施形態で説明した構成と同様の構成については同じ符号を用いて、その説明は省略する。
【００６９】
第２の実施形態に係るフェイスマスクユニット３００は、感染予防や花粉症対策等のために用いられるフェイスマスク５０（図８参照）を提供するためのものである。
【００７０】
フェイスマスクユニット３００は、少なくとも２枚以上の不織布が積層される不織布積層体１０と、第１の保持体４１と、第２の保持体（不図示）と、を有する。また、フェイスマスクユニット３００には、ユーザの顔面の外形に応じた穴Ｈが形成されている。
【００７１】
なお、フェイスマスクユニット３００の積層構造は、第１の実施形態で示したフェイスマスクユニット１００と同様であるため、端面図及びその説明の詳細については省略する。
【００７２】
穴Ｈは、有端線状の外形穴Ｈ５と、開口Ｈ６とを含む。外形穴Ｈ５は、ユーザの顔の幅（又は左耳と右耳との間の長さ）に応じて形成されるとよい。
【００７３】
フェイスマスクユニット３００は、外形穴Ｈ５に沿う外形を有するフェイスマスク部と、外形穴Ｈ５を介してフェイスマスク部の周辺に設けられる周辺部と、フェイスマスク部と周辺部とを部分的に接続する接続部とを有する。図７においては、第１の保持体４１のフェイスマスク部４１１、周辺部４１２、及び接続部４１３を示すが、不織布積層体１０及び第２の保持体もそれらと同形状の部位を有している。
【００７４】
図８に示すように、第２の実施形態に係るフェイスマスクユニット３００により提供されるフェイスマスク５０は、ユーザの鼻及び口を覆う覆い部５１と、覆い部５１から左右方向にそれぞれ延びると共にユーザの耳に掛けられる環状の耳紐部５２と、を有する。耳紐部５２は、外形穴Ｈ５と開口Ｈ６の大きさに基づいた幅を有する部位である。
【００７５】
［第２の実施形態の変形例］
第２の実施形態において提供されるマスクの形状は、図７、図８に示すものに限られない。例えば、図９や図１０に示す形状であってもよい。
【００７６】
図９は、第２の実施形態の第１変形例に係るフェイスマスクユニットにより提供されるフェイスマスク６０を示している。フェイスマスク６０は、ユーザの鼻及び口を覆う覆い部６１と、覆い部６１から左右方向にそれぞれ延びると共にユーザの耳に掛けられる環状の耳紐部６２と、を有する。
【００７７】
図１０は、第２の実施形態の第２変形例に係るフェイスマスクユニットにより提供されるフェイスマスク７０を示している。フェイスマスク７０は、ユーザの鼻及び口を覆う覆い部７１と、覆い部７１から左右方向にそれぞれ延びると共にユーザの耳に掛けられる環状の耳紐部７２と、を有する。
【要約】
形状を維持しつつ保管可能なフェイスマスクユニット、その製造方法を提供する。フェイスマスクユニット（１００）は、少なくとも２枚以上の不織布が積層される不織布積層体（１０）と、不織布積層体（１０）の表面（１０ｆ）に固定されると共に、不織布積層体（１０）を保持する平面状の第１の保持体（２１）と、を有し、不織布積層体（１０）及び第１の保持体（２１）には、不織布積層体（１０）の裏面（１０ｂ）から第１の保持体（２１）の表面側に貫通する、ユーザの顔面の外形の少なくとも一部に応じた有端線状の穴（Ｈ１）が形成されている。【図１】
0006899612.tif 000002
【図２】
0006899612.tif 000003
【図３】
0006899612.tif 000004
【図４】
0006899612.tif 000005
【図５】
0006899612.tif 000006
【図６】
0006899612.tif 000007
【図７】
0006899612.tif 000008
【図８】
0006899612.tif 000009
【図９】
0006899612.tif 000010
【図１０】
0006899612.tif 000011